(57)【特許請求の範囲】
【請求項１】
ユーザに利用されるユーザ端末にネットワークを介して接続可能なカスタマイズ商品デザイン装置であって、
商品を構成する各部品ごとに前記複数の商品デザインを保存する手段と、
前記ユーザ端末から送信される商品デザイン作成依頼であって、商品デザイン作成依頼者が前記商品を構成する各部品ごとに選択した商品デザインの組合せを含む商品デザイン作成依頼を受信する手段と、
前記商品デザイン作成依頼に含まれる前記商品デザインの組合せに従って商品デザインを作成する手段と、
前記作成された商品デザインのオリジナル性を評価する評価手段と、
前記作成された商品デザインと前記オリジナル性の評価結果とを前記ユーザ端末に送信する手段と、
前記ユーザ端末から前記作成された商品デザインを付した商品の発注依頼を受信する手段と、
前記発注依頼を受けた件数を前記商品デザインの組合せごとに保存する手段とを含み、
前記受信する手段は、前記商品デザイン作成依頼者が商品デザイン作成過程で前記各部品について商品デザインの組合せを選択する毎に、該選択された商品デザインの組合せを含む商品デザイン作成依頼を受信し、
前記評価手段は、
全体の発注依頼件数を集計する全体発注件数集計手段と、
商品デザインの組合せの発注依頼件数を集計する組合せ発注件数集計手段とを含み、
前記全体発注件数集計手段の集計結果に基づいた全体の発注依頼件数に対する、前記組合せ発注件数集計手段の集計結果に基づいた前記商品デザインの組合せの発注依頼件数の割合から、前記商品デザインの組合せに対してのオリジナル性の評価を行ない、かつ、該評価を、前記受信する手段による前記商品デザイン作成依頼の受信が行なわれる毎に実行し、
前記送信する手段は、前記評価手段で前記評価が行なわれる毎に、該評価結果と前記作成された商品デザインとを前記ユーザ端末に送信する、カスタマイズ商品デザイン装置。
【請求項２】
前記評価手段は、前記商品デザイン作成依頼により特定された前記商品デザインの組合せの前記発注依頼件数が全体の前記発注依頼件数に対して少ないほどオリジナル性が高いとして評価する、請求項１に記載のカスタマイズ商品デザイン装置。
【請求項３】
前記評価手段は、前記商品デザインの組合せごとの前記発注依頼件数を用いて前記商品デザインの組合せごとの発注順位を決定し、前記商品デザイン作成依頼により特定された前記商品デザインの組合せの前記発注順位に基づいて前記オリジナル性を評価する、請求項１に記載のカスタマイズ商品デザイン装置。
【請求項４】
ユーザに利用されるユーザ端末にネットワークを介して接続可能なコンピュータを用いたカスタマイズ商品デザイン方法であって、
商品を構成する各部品ごとに前記複数の商品デザインを保存するステップと、
前記ユーザ端末から送信される商品デザイン作成依頼であって、商品デザイン作成依頼者が前記商品を構成する各部品ごとに選択した商品デザインの組合せを含む商品デザイン
作成依頼を受信するステップと、
前記商品デザイン作成依頼に含まれる前記商品デザインの組合せに従って商品デザインを作成するステップと、
前記作成された商品デザインのオリジナル性を評価する評価ステップと、
前記作成された商品デザインと前記オリジナル性の評価結果とを前記ユーザ端末に送信するステップと、
前記ユーザ端末から前記作成された商品デザインを付した商品の発注依頼を受信するステップと、
前記発注依頼を受けた件数を前記商品デザインの組合せごとに保存するステップとを含み、
前記受信するステップは、前記商品デザイン作成依頼者が商品デザイン作成過程で前記各部品について商品デザインの組合せを選択する毎に、該選択された商品デザインの組合せを含む商品デザイン作成依頼を受信し、
前記評価ステップは、
全体の発注依頼件数を集計する全体発注件数集計ステップと、
商品デザインの組合せの発注依頼件数を集計する組合せ発注件数集計ステップとを含み、
前記全体発注件数集計ステップの集計結果に基づいた全体の発注依頼件数に対する、前記組合せ発注件数集計ステップの集計結果に基づいた前記商品デザインの組合せの発注依頼件数の割合から、前記商品デザインの組合せに対してのオリジナル性の評価を行ない、かつ、該評価を、前記受信するによる前記商品デザイン作成依頼の受信が行なわれる毎に実行し、
前記送信するステップは、前記評価ステップで前記評価が行なわれる毎に、該評価結果と前記作成された商品デザインとを前記ユーザ端末に送信する、カスタマイズ商品デザイン方法。
【請求項５】
前記評価ステップは、前記商品デザイン作成依頼により特定された前記商品デザインの組合せの前記発注依頼件数が全体の前記発注依頼件数に対して少ないほどオリジナル性が高いとして評価する、請求項４に記載のカスタマイズ商品デザイン方法。
【請求項６】
前記評価ステップは、前記商品デザインの組合せごとの前記発注依頼件数を用いて前記商品デザインの組合せごとの発注順位を決定し、前記商品デザイン作成依頼により特定された前記商品デザインの組合せの前記発注順位に基づいて前記オリジナル性を評価する、請求項４に記載のカスタマイズ商品デザイン方法。
【請求項７】
ユーザに利用されるユーザ端末にネットワークを介して接続可能なコンピュータに実行させるためのコンピュータ読取可能なカスタマイズ商品デザインプログラムであって、
商品を構成する各部品ごとに前記複数の商品デザインを保存するステップと、
前記ユーザ端末から送信される商品デザイン作成依頼であって、商品デザイン作成依頼者が前記商品を構成する各部品ごとに選択した商品デザインの組合せを含む商品デザイン作成依頼を受信するステップと、
前記商品デザイン作成依頼に含まれる前記商品デザインの組合せに従って商品デザインを作成するステップと、
前記作成された商品デザインのオリジナル性を評価する評価ステップと、
前記作成された商品デザインと前記オリジナル性の評価結果とを前記ユーザ端末に送信するステップと、
前記ユーザ端末から前記作成された商品デザインを付した商品の発注依頼を受信するステップと、
前記発注依頼を受けた件数を前記商品デザインの組合せごとに保存するステップとを含み、
前記受信するステップは、前記商品デザイン作成依頼者が商品デザイン作成過程で前記各部品について商品デザインの組合せを選択する毎に、該選択された商品デザインの組合せを含む商品デザイン作成依頼を受信し、
前記評価ステップは、
全体の発注依頼件数を集計する全体発注件数集計ステップと、
商品デザインの組合せの発注依頼件数を集計する組合せ発注件数集計ステップとを含み、
前記全体発注件数集計ステップの集計結果に基づいた全体の発注依頼件数に対する、前記組合せ発注件数集計ステップの集計結果に基づいた前記商品デザインの組合せの発注依頼件数の割合から、前記商品デザインの組合せに対してのオリジナル性の評価を行ない、かつ、該評価を、前記受信するによる前記商品デザイン作成依頼の受信が行なわれる毎に実行し、
前記送信するステップは、前記評価ステップで前記評価が行なわれる毎に、該評価結果と前記作成された商品デザインとを前記ユーザ端末に送信する、カスタマイズ商品デザインプログラム。
【請求項８】
前記評価ステップは、前記商品デザイン作成依頼により特定された前記商品デザインの組合せの前記発注依頼件数が全体の前記発注依頼件数に対して少ないほどオリジナル性が高いとして評価する、請求項７に記載のカスタマイズ商品デザインプログラム。
【請求項９】
前記評価ステップは、前記商品デザインの組合せごとの前記発注依頼件数を用いて前記商品デザインの組合せごとの発注順位を決定し、前記商品デザイン作成依頼により特定された前記商品デザインの組合せの前記発注順位に基づいて前記オリジナル性を評価する、請求項７に記載のカスタマイズ商品デザインプログラム。
【請求項１０】
ユーザに利用されるユーザ端末にネットワークを介して接続可能なコンピュータに実行させるためのコンピュータ読取可能なカスタマイズ商品デザインプログラムを記憶した記憶媒体であって、
商品を構成する各部品ごとに前記複数の商品デザインを保存するステップと、
前記ユーザ端末から送信される商品デザイン作成依頼であって、商品デザイン作成依頼者が前記商品を構成する各部品ごとに選択した商品デザインの組合せを含む商品デザイン作成依頼を受信するステップと、
前記商品デザイン作成依頼に含まれる前記商品デザインの組合せに従って商品デザインを作成するステップと、
前記作成された商品デザインのオリジナル性を評価する評価ステップと、
前記作成された商品デザインと前記オリジナル性の評価結果とを前記ユーザ端末に送信するステップと、
前記ユーザ端末から前記作成された商品デザインを付した商品の発注依頼を受信するステップと、
前記発注依頼を受けた件数を前記商品デザインの組合せごとに保存するステップとを含み、
前記受信するステップは、前記商品デザイン作成依頼者が商品デザイン作成過程で前記各部品について商品デザインの組合せを選択する毎に、該選択された商品デザインの組合せを含む商品デザイン作成依頼を受信し、
前記評価ステップは、
全体の発注依頼件数を集計する全体発注件数集計ステップと、
商品デザインの組合せの発注依頼件数を集計する組合せ発注件数集計ステップとを含み、
前記全体発注件数集計ステップの集計結果に基づいた全体の発注依頼件数に対する、前記組合せ発注件数集計ステップの集計結果に基づいた前記商品デザインの組合せの発注依頼件数の割合から、前記商品デザインの組合せに対してのオリジナル性の評価を行ない、かつ、該評価を、前記受信するによる前記商品デザイン作成依頼の受信が行なわれる毎に実行し、
前記送信するステップは、前記評価ステップで前記評価が行なわれる毎に、該評価結果と前記作成された商品デザインとを前記ユーザ端末に送信する、カスタマイズ商品デザインプログラムを記憶した記憶媒体。
【請求項１１】
前記評価ステップは、前記商品デザイン作成依頼により特定された前記商品デザインの組合せの前記発注依頼件数が全体の前記発注依頼件数に対して少ないほどオリジナル性が高いとして評価する、請求項１０に記載のカスタマイズ商品デザインプログラムを記憶した記憶媒体。
【請求項１２】
前記評価ステップは、前記商品デザインの組合せごとの前記発注依頼件数を用いて前記商品デザインの組合せごとの発注順位を決定し、前記商品デザイン作成依頼により特定された前記商品デザインの組合せの前記発注順位に基づいて前記オリジナル性を評価する、請求項１０に記載のカスタマイズ商品デザインプログラムを記憶した記憶媒体。
【発明の詳細な説明】
【０００１】
【発明の属する技術分野】
この発明は、カスタマイズ商品デザイン方法およびその装置に関し、さらに詳しくは、コンピュータ利用可能なユーザにネットワークを通じてカスタマイズ商品を販売するためのカスタマイズ商品デザイン方法およびその装置に関する。
【０００２】
【従来の技術】
インターネット等のネットワークを利用したカスタマイズ商品の販売は、従来から行なわれている。ここで、カスタマイズ商品とは、消費者の要求に応じてデザインされた商品をいう。
【０００３】
特開２０００−２０５８９号公報では、カスタマイズ商品として時計を提供するシステムが掲載されている。特開２０００−２０５８９号公報によると、ユーザ端末を利用するユーザは時計のデザインをオリジナルに作成することができる。
【０００４】
一般的に、カスタマイズ商品でのオリジナルデザインの作成方法としては、ユーザがデザインサンプルを選択することでオリジナルデザインを作成する方法と、ユーザが独自に作成したデザインを用いてオリジナルデザインを作成する方法とがある。
【０００５】
ユーザがデザインサンプルを選択することでオリジナルデザインを作成する方法では、メーカがデザインサンプルを準備し、これらのデザインサンプルをユーザに提供する。ユーザは好みのデザインサンプルを１つ選択する。または、ユーザは好みのデザインサンプルを複数選択し、それらを組み合わせることで、カスタマイズ商品が製作される。
【０００６】
ユーザが独自に作成したデザインを用いてオリジナルデザインを作成する方法では、ユーザは、デジタルカメラで撮影した画像やスキャナで読み取った画像等をメーカに提出する。これにより、ユーザ独自のオリジナルデザインのカスタマイズ商品が製作される。
【０００７】
【発明が解決しようとする課題】
ユーザが独自に作成したデザインを用いてオリジナルデザインを作成する方法では、ユーザは真にオリジナルのデザインを有するカスタマイズ商品を注文できる。しかしながら、ユーザがデザインサンプルを選択することでオリジナルデザインを作成する方法では、ユーザは他のユーザと同じデザインのカスタマイズ商品を注文する場合がある。なぜなら、複数のユーザが同じデザインサンプルの選択を行なう場合が生じるからである。
【０００８】
ユーザはできるだけ希少な商品を手にいれるために、カスタマイズ商品を注文する。しかしながら、ユーザがデザインサンプルを選択することでオリジナルデザインを作成する方法では、ユーザは他の複数のユーザと同じデザインのカスタマイズ商品を注文する可能性がある。これではカスタマイズ商品の希少価値を下げてしまう。
【０００９】
この発明の目的は、ユーザが高い希少価値を有するカスタマイズ商品のデザインを作成することが可能なカスタマイズ商品デザイン方法およびその装置を提供することである。
【００１０】
【課題を解決するための手段】
この発明によるカスタマイズ商品デザイン装置は、ユーザに利用されるユーザ端末にネットワークを介して接続可能なカスタマイズ商品デザイン装置であって、商品を構成する各部品ごとに複数の商品デザインを保存する手段と、ユーザ端末から送信される商品デザイン作成依頼であって、商品デザイン作成依頼者が商品を構成する各部品ごとに選択した商品デザインの組合せを含む商品デザイン作成依頼を受信する手段と、商品デザイン作成依頼に含まれる商品デザインの組合せに従って商品デザインを作成する手段と、作成された商品デザインのオリジナル性を評価する評価手段と、作成された商品デザインとオリジナル性の評価結果とをユーザ端末に送信する手段と、ユーザ端末から作成された商品デザインを付した商品の発注依頼を受信する手段と、発注依頼を受けた件数を商品デザインの組合せごとに保存する手段とを含み、受信する手段は、商品デザイン作成依頼者が商品デザイン作成過程で各部品について商品デザインの組合せを選択する毎に、該選択された商品デザインの組合せを含む商品デザイン作成依頼を受信し、評価手段は、全体の発注依頼件数を集計する全体発注件数集計手段と、商品デザインの組合せの発注依頼件数を集計する組合せ発注件数集計手段とを含み、全体発注件数集計手段の集計結果に基づいた全体の発注依頼件数に対する、組合せ発注件数集計手段の集計結果に基づいた商品デザインの組合せの発注依頼件数の割合から、商品デザインの組合せに対してのオリジナル性の評価を行ない、かつ、該評価を、受信する手段による商品デザイン作成依頼の受信が行なわれる毎に実行し、送信する手段は、評価手段で評価が行なわれる毎に、該評価結果と作成された商品デザインとをユーザ端末に送信する。
【００１４】
これにより、ユーザは、商品を構成する各部品ごとに用意された複数の商品デザインから自分の好みに合う各部品ごとの商品デザインの組合せを選択して、商品デザインを作成することができる。よって、ユーザはより容易に商品デザインの作成ができる。しかも、ユーザは、選択した各部品ごとの商品デザインの組合せがどの程度の希少価値を有するかを知ることができる。
【００１６】
好ましくは、評価手段は、商品デザイン作成依頼により特定された商品デザインの組合せの発注依頼件数が全体の発注依頼件数に対して少ないほどオリジナル性が高いとして評価する。
【００１７】
好ましくは、評価手段は、商品デザインの組合せごとの発注依頼件数を用いて商品デザインの組合せごとの発注順位を決定し、商品デザイン作成依頼により特定された商品デザインの組合せの発注順位に基づいてオリジナル性を評価する。
【００１８】
これにより、ユーザは複数の商品デザインの組合せがどの程度の希少価値を有するかを知ることができる。
【００２１】
この発明によるカスタマイズ商品デザイン方法は、ユーザに利用されるユーザ端末にネットワークを介して接続可能なコンピュータを用いたカスタマイズ商品デザイン方法であって、商品を構成する各部品ごとに複数の商品デザインを保存するステップと、ユーザ端末から送信される商品デザイン作成依頼であって、商品デザイン作成依頼者が商品を構成する各部品ごとに選択した商品デザインの組合せを含む商品デザイン作成依頼を受信するステップと、商品デザイン作成依頼に含まれる商品デザインの組合せに従って商品デザインを作成するステップと、作成された商品デザインのオリジナル性を評価する評価ステップと、作成された商品デザインとオリジナル性の評価結果とをユーザ端末に送信するステップと、ユーザ端末から作成された商品デザインを付した商品の発注依頼を受信するステップと、発注依頼を受けた件数を商品デザインの組合せごとに保存するステップとを含み、受信するステップは、商品デザイン作成依頼者が商品デザイン作成過程で各部品について商品デザインの組合せを選択する毎に、該選択された商品デザインの組合せを含む商品デザイン作成依頼を受信し、評価ステップは、全体の発注依頼件数を集計する全体発注件数集計ステップと、商品デザインの組合せの発注依頼件数を集計する組合せ発注件数集計ステップとを含み、全体発注件数集計ステップの集計結果に基づいた全体の発注依頼件数に対する、組合せ発注件数集計ステップの集計結果に基づいた商品デザインの組合せの発注依頼件数の割合から、商品デザインの組合せに対してのオリジナル性の評価を行ない、かつ、該評価を、受信するによる商品デザイン作成依頼の受信が行なわれる毎に実行し、送信するステップは、評価ステップで評価が行なわれる毎に、該評価結果と作成された商品デザインとをユーザ端末に送信する。
【００２５】
これにより、ユーザは、商品を構成する各部品ごとに用意された複数の商品デザインから自分の好みに合う各部品ごとの商品デザインの組合せを選択して、商品デザインを作成することができる。よって、ユーザはより容易に商品デザインの作成ができる。しかも、ユーザは、選択した各部品ごとの商品デザインの組合せがどの程度の希少価値を有するかを知ることができる。
【００２７】
好ましくは、評価ステップは、商品デザイン作成依頼により特定された商品デザインの組合せの発注依頼件数が全体の発注依頼件数に対して少ないほどオリジナル性が高いとして評価する。
【００２８】
好ましくは、評価ステップは、商品デザインの組合せごとの発注依頼件数を用いて商品デザインの組合せごとの発注順位を決定し、商品デザイン作成依頼により特定された商品デザインの組合せの発注順位に基づいてオリジナル性を評価する。
【００２９】
これにより、ユーザは複数の商品デザインの組合せがどの程度の希少価値を有するかを知ることができる。
【００３２】
この発明によるカスタマイズ商品デザインプログラムは、ユーザに利用されるユーザ端末にネットワークを介して接続可能なコンピュータに実行させるためのコンピュータ読取可能なカスタマイズ商品デザインプログラムであって、商品を構成する各部品ごとに複数の商品デザインを保存するステップと、ユーザ端末から送信される商品デザイン作成依頼であって、商品デザイン作成依頼者が商品を構成する各部品ごとに選択した商品デザインの組合せを含む商品デザイン作成依頼を受信するステップと、商品デザイン作成依頼に含まれる商品デザインの組合せに従って商品デザインを作成するステップと、作成された商品デザインのオリジナル性を評価する評価ステップと、作成された商品デザインとオリジナル性の評価結果とをユーザ端末に送信するステップと、ユーザ端末から作成された商品デザインを付した商品の発注依頼を受信するステップと、発注依頼を受けた件数を商品デザインの組合せごとに保存するステップとを含み、受信するステップは、商品デザイン作成依頼者が商品デザイン作成過程で各部品について商品デザインの組合せを選択する毎に、該選択された商品デザインの組合せを含む商品デザイン作成依頼を受信し、評価ステップは、全体の発注依頼件数を集計する全体発注件数集計ステップと、商品デザインの組合せの発注依頼件数を集計する組合せ発注件数集計ステップとを含み、全体発注件数集計ステップの集計結果に基づいた全体の発注依頼件数に対する、組合せ発注件数集計ステップの集計結果に基づいた商品デザインの組合せの発注依頼件数の割合から、商品デザインの組合せに対してのオリジナル性の評価を行ない、かつ、該評価を、受信するによる商品デザイン作成依頼の受信が行なわれる毎に実行し、送信するステップは、評価ステップで評価が行なわれる毎に、該評価結果と作成された商品デザインとをユーザ端末に送信する。
【００３６】
これにより、ユーザは、商品を構成する各部品ごとに用意された複数の商品デザインから自分の好みに合う各部品ごとの商品デザインの組合せを選択して、商品デザインを作成することができる。よって、ユーザはより容易に商品デザインの作成ができる。しかも、ユーザは、選択した各部品ごとの商品デザインの組合せがどの程度の希少価値を有するかを知ることができる。
【００３８】
好ましくは、評価ステップは、商品デザイン作成依頼により特定された商品デザインの組合せの発注依頼件数が全体の発注依頼件数に対して少ないほどオリジナル性が高いとして評価する。
【００３９】
好ましくは、評価ステップは、商品デザインの組合せごとの発注依頼件数を用いて商品デザインの組合せごとの発注順位を決定し、商品デザイン作成依頼により特定された商品デザインの組合せの発注順位に基づいてオリジナル性を評価する。
【００４０】
これにより、ユーザは複数の商品デザインの組合せがどの程度の希少価値を有するかを知ることができる。
【００４３】
この発明によるカスタマイズ商品デザインプログラムを記憶した記憶媒体は、ユーザに利用されるユーザ端末にネットワークを介して接続可能なコンピュータに実行させるためのコンピュータ読取可能なカスタマイズ商品デザインプログラムを記憶した記憶媒体であって、商品を構成する各部品ごとに複数の商品デザインを保存するステップと、ユーザ端末から送信される商品デザイン作成依頼であって、商品デザイン作成依頼者が商品を構成する各部品ごとに選択した商品デザインの組合せを含む商品デザイン作成依頼を受信するステップと、商品デザイン作成依頼に含まれる商品デザインの組合せに従って商品デザインを作成するステップと、作成された商品デザインのオリジナル性を評価する評価ステップと、作成された商品デザインとオリジナル性の評価結果とをユーザ端末に送信するステップと、ユーザ端末から作成された商品デザインを付した商品の発注依頼を受信するステップと、発注依頼を受けた件数を商品デザインの組合せごとに保存するステップとを含み、受信するステップは、商品デザイン作成依頼者が商品デザイン作成過程で各部品について商品デザインの組合せを選択する毎に、該選択された商品デザインの組合せを含む商品デザイン作成依頼を受信し、評価ステップは、全体の発注依頼件数を集計する全体発注件数集計ステップと、商品デザインの組合せの発注依頼件数を集計する組合せ発注件数集計ステップとを含み、全体発注件数集計ステップの集計結果に基づいた全体の発注依頼件数に対する、組合せ発注件数集計ステップの集計結果に基づいた商品デザインの組合せの発注依頼件数の割合から、商品デザインの組合せに対してのオリジナル性の評価を行ない、かつ、該評価を、受信するによる商品デザイン作成依頼の受信が行なわれる毎に実行し、送信するステップは、評価ステップで評価が行なわれる毎に、該評価結果と作成された商品デザインとをユーザ端末に送信する。
【００４７】
これにより、ユーザは、商品を構成する各部品ごとに用意された複数の商品デザインから自分の好みに合う各部品ごとの商品デザインの組合せを選択して、商品デザインを作成することができる。よって、ユーザはより容易に商品デザインの作成ができる。しかも、ユーザは、選択した各部品ごとの商品デザインの組合せがどの程度の希少価値を有するかを知ることができる。
【００４９】
好ましくは、評価ステップは、商品デザイン作成依頼により特定された商品デザインの組合せの発注依頼件数が全体の発注依頼件数に対して少ないほどオリジナル性が高いとして評価する。
【００５０】
好ましくは、評価ステップは、商品デザインの組合せごとの発注依頼件数を用いて商品デザインの組合せごとの発注順位を決定し、商品デザイン作成依頼により特定された商品デザインの組合せの発注順位に基づいてオリジナル性を評価する。
【００５１】
これにより、ユーザは複数の商品デザインの組合せがどの程度の希少価値を有するかを知ることができる。
【００５４】
【発明の実施の形態】
以下、この発明の実施の形態を図面を参照して詳しく説明する。なお図中同一または相当部分には同一符号を付してその説明は繰返さない。
【００５５】
［全体構成の説明］
以下に説明するカスタマイズ商品デザイン装置を用いたカスタマイズ商品デザインシステムでは、カスタマイズ商品を携帯電話機とする。なお、カスタマイズ商品は他の商品であってもかまわない。
【００５６】
図１は、この発明におけるカスタマイズ商品デザインシステムの全体構成を示すブロック図である。
【００５７】
図１を参照して、カスタマイズ商品デザイン装置１は、ネットワーク２を介して、複数のユーザ端末３と接続される。
【００５８】
カスタマイズ商品デザイン装置１は、商品デザイン作成部１０と、オリジナル性評価部２０と、商品デザイン保存部３０と、オーダー条件保存部４０と、通信部５０と、記憶媒体ドライブ６０とを含む。これらはバス８０を介して互いに接続される。
【００５９】
商品デザイン保存部３０は、仕様組合せ画像記憶部３１とカスタマイズ仕様記憶部３２とを含む。
【００６０】
カスタマイズ仕様記憶部３２は、商品を構成する各部品についての複数のデザイン（以下、カスタムサンプルと称する）を保存している。たとえば、カスタマイズ商品が携帯電話機の場合、携帯電話機の形状、カバー、キー、アンテナ、バックライト等の各部品ごとに、あらかじめ複数のデザインが作成されている。カスタマイズ仕様記憶部３２は、これらの各部品ごとのデザインをカスタムサンプルとして記憶する。
【００６１】
仕様組合せ画像記憶部３１は、カスタマイズ商品の完成イメージを全て保存する。すなわち、仕様組合せ画像記憶部３１には、カスタマイズ仕様記憶部３２に記憶された複数のデザインを組み合わせた結果であるカスタマイズ商品の完成イメージが全て保存されている。
【００６２】
オーダー条件保存部４０は、オーダーファイル４１と仕様組合せ集計ファイル４２とを含む。
【００６３】
オーダーファイル４１は、ユーザ端末３から送信されるユーザ情報と、そのユーザがオーダーしたカスタマイズ商品のデザイン条件を保存する。ここで、ユーザ情報とは、ユーザの住所や電話番号やカスタマイズ商品の送り先等の情報をいう。また、カスタマイズ商品のデザイン条件とは、カスタマイズ商品のデザインを構成する各カスタムサンプルの選択情報である。仕様組合せ集計ファイル４２は、カスタマイズ商品を発注した人数の集計結果を各カスタマイズ商品のデザイン条件ごとに保存する。
【００６４】
商品デザイン作成部１０は、デザイン制御部１１と、オーダー情報書込部１２とを含む。
【００６５】
デザイン制御部１１は、ユーザ端末３から送信されるカスタムサンプルの選択情報にしたがって、カスタマイズ商品のデザインを作成する。オーダー情報書込部１２は、ユーザ端末３から送信されるユーザ情報とカスタマイズ商品のデザイン条件とをオーダーファイル４１に書込する。さらに、オーダー情報書込部１２は、オーダーファイル４１の情報を参照して、各カスタマイズ商品の完成イメージごとのオーダー人数を集計し、その結果を仕様組合せ集計ファイルに書込する。
【００６６】
オリジナル性評価部２０は、オリジナル度算出部２１とランキング集計部２２とを含む。
【００６７】
オリジナル度算出部２１は、仕様組合せ集計ファイル４２に記憶された情報に基づいて、各カスタマイズ商品の「オリジナル度」を算出する。「オリジナル度」とは、各カスタマイズ商品がどの程度希少価値を有するかを示す指標である。「オリジナル度」の算出方法については後述する。
【００６８】
ランキング集計部２２は、仕様組合せ集計ファイル４２に記憶された情報に基づいて、オーダーの少ないカスタマイズ商品順に順位を決定する。
【００６９】
通信部５０は、ネットワーク２を介して複数のユーザ端末３から送信される情報を受信する。また、カスタマイズ商品デザイン装置１内の商品デザイン作成部１０やオリジナル性評価部２０等により作成される情報をユーザ端末３へ送信する。
【００７０】
記憶媒体７０は、コンピュータ読取可能な記憶媒体であって、コンピュータをカスタマイズ商品デザイン装置１とするためのカスタマイズ商品デザインプログラムが予め記憶されている。この記憶媒体７０を記憶媒体ドライブ６０に装着し、カスタマイズ商品デザインプログラムをインストールすると、コンピュータはカスタマイズ商品デザイン装置１として機能する。なお、ここで記憶媒体７０は、ＣＤ−ＲＯＭや光磁気（ＭＯ）ディスクやフロッピー（Ｒ）ディスクなどの記憶媒体である。また、通常はカスタマイズ商品デザインプログラムをインストールするコンピュータには、カスタマイズ商品デザインプログラムを動作可能にするためのオペレーションシステム（ＯＳ）が予めインストールされている。
【００７１】
ユーザ端末３は、ユーザが利用するコンピュータである。ユーザ端末３は携帯電話機やＰＤＡ等の携帯端末でもよいし、固定端末でもよい。
【００７２】
［仕様組合せ集計ファイル］
次に、図１中の仕様組合せ集計ファイル４２に記憶される集計テーブルについて説明する。
【００７３】
カスタマイズ商品が携帯電話機の場合に仕様組合せ集計ファイル４２に記憶される集計テーブルの一例を表１に示す。
【００７４】
【表１】
0003973388.tif 000002
【００７５】
表１を参照して、集計テーブルはデザイン条件ＮＯ欄と、カスタムサンプル欄と、人数欄とで構成される。
【００７６】
デザイン条件ＮＯ欄には、カスタマイズ商品の各デザイン条件ごとに付されたＮＯが入力される。カスタムサンプル欄は、カスタマイズ商品の各構成部品ごとに欄が作成される。表１ではカスタムサンプル欄には、形状欄、カバー欄、キー欄、アンテナ欄、バックライト欄がある。集計テーブルは、各カスタムサンプルの全ての組合せと、各組合せごとのオーダー人数とが入力される。たとえば、表１において、形状のカスタムサンプルが２種類、カバーのカスタムサンプルが１０種類、キーのカスタムサンプルが２０種類、アンテナのカスタムサンプルが２０種類、バックライトのカスタムサンプルが３種類存在する場合、全てのカスタムサンプルの組合せは２４，０００通り存在する。よって、表１に示したデザイン条件ＮＯ欄は２４，０００まで入力される。また、各カスタムサンプル欄に入力されている番号は、それぞれのカスタムサンプルごとのサンプル番号である。よって、カスタマイズ商品のデザイン条件はこのカスタムサンプル欄に記載されたサンプル番号で特定される。集計テーブルの人数欄には各デザイン条件ＮＯのカスタマイズ商品をオーダーした人数が入力される。
【００７７】
［カスタマイズ商品デザイン装置の動作］
次に、カスタマイズ商品デザイン装置１の動作について説明する。なお、ここでは、カスタマイズ商品を携帯電話機とする。
【００７８】
図２はカスタマイズ商品デザイン装置１およびユーザ端末３の動作を示すフローチャートである。
【００７９】
図２を参照して、はじめに、ユーザ端末３から接続依頼がカスタマイズ商品デザイン装置１にネットワーク２を介して送信される（ステップＳ１）。カスタマイズ商品デザイン装置１はユーザ端末３からの接続依頼を受信後（ステップＳ２）、デザイン画面をユーザ端末３へ送信する（ステップＳ３）。
【００８０】
図３は図２中のステップＳ３におけるデザイン画面を示す図である。
図３を参照して、デザイン画面は、仕様メニュー欄１００と、カスタムサンプル表示欄２００と、デザインイメージ表示欄３００とを含む。仕様メニュー欄１００は、カスタマイズ商品の構成部品ごとにボタンが設定される。図３では、形状ボタン１０１、カバーボタン１０２、キーボタン１０３、アンテナボタン１０４、バックライトボタン１０５がそれぞれ設定される。カスタムサンプル表示欄２００は、仕様メニュー欄１００内の各ボタン１０１〜１０５のうち、クリックされたボタンのカスタムサンプルを表示する。図３では、まだ仕様メニュー欄１００内の各ボタンをクリックしていないため、カスタムサンプル表示欄は空白のままである。デザインイメージ表示欄３００は、カスタムサンプルを選択したときの携帯電話機のデザインイメージ３０１を表示する。図３では、まだカスタムサンプルを選択していないため、デザインイメージ表示欄３００内の携帯電話機のデザインイメージ３０１は基本仕様のデザインイメージとなっている。
【００８１】
さらに、デザインイメージ表示欄３００には、保存ボタン３０２が表示される。保存ボタン３０２は、携帯電話機のデザインイメージ３０１を決定するときにクリックされる。
【００８２】
再び図２にもどって、ステップＳ３で送信されたデザイン画面は、ユーザ端末３で受信され、ユーザ端末３のディスプレイ（図示せず）に表示される（ステップＳ４）。ユーザ端末３のユーザは、ステップＳ４で表示されたデザイン画面を参照し、仕様メニュー欄１００内の各構成部品ボタンのいずれかをクリックする。その結果、ボタンの選択情報がカスタマイズ商品デザイン装置１へ送信される（ステップＳ５）。
【００８３】
カスタマイズ商品デザイン装置１は、ボタンの選択情報を受信する（ステップＳ６）。カスタマイズ商品デザイン装置１内のデザイン制御部１１は、送信されたボタンの選択情報に基づいてカスタムサンプルを表示したデザイン画面を作成する。作成されたデザイン画面はユーザ端末３へ送信される（ステップＳ７）。ここで、ステップＳ７の動作についてさらに詳細に説明する。
【００８４】
図４は図２中のステップＳ７の詳細を示すフローチャートである。
また図５は、図２中のステップＳ７でのデザイン画面を示す図である。
【００８５】
図４を参照して、カスタマイズ商品デザイン装置１内のデザイン制御部１１は、通信部５０を介して得られたボタンの選択情報に基づいて、カスタマイズ仕様記憶部３２に記憶されたカスタムサンプルを取得する（ステップＳ７１）。たとえば、ボタンの選択情報が「カバー」である場合、デザイン制御部１１は、「カバー」用に用意されたカスタムサンプル全てをカスタマイズ仕様記憶部３２から取得する。
【００８６】
次に、デザイン制御部１１は、デザイン画面中にステップＳ７１で選択したカスタムサンプルを表示する（ステップＳ７２）。よって、図５に示しように、デザイン画面中のカスタムサンプル表示欄２００は、「カバー」についての全てのカスタムサンプルである（１０種類）を表示する。
【００８７】
次に、デザイン制御部１１は、カスタムサンプル表示欄２００に表示された各カスタムサンプルごとのオーダー人数を算出する（ステップＳ７３）。デザイン制御部１１は、仕様組合せ集計ファイル４２に保存された情報に基づいて、各カスタムサンプルごとのオーダー人数を算出する。
【００８８】
デザイン制御部１１はステップＳ７３で各カスタムサンプルごとのオーダー人数を算出後、オーダー人数を各カスタムサンプルに対応させてカスタムサンプル表示欄に表示する（ステップＳ７４）。
【００８９】
図５では、デザイン制御部１１は、それぞれの「カバー」のデザインをオーダーした人数を算出する。このときデザイン制御部１１は仕様組合せ集計ファイル４２からオーダー人数の情報を取得する。オーダー人数を算出後、デザイン制御部１１は、「カバー」の各カスタムサンプルごとにオーダー人数を表示する。
【００９０】
作成されたデザイン画面はユーザ端末３へ送信される（ステップＳ７５）。
再び図２にもどって、送信されたデザイン画面はユーザ端末３で受信され、ユーザ端末３のディスプレイに表示される（ステップＳ８）。ユーザ端末３を使用するユーザは、デザイン画面に表示されたカスタムサンプルを参照し、自分の好みのカスタムサンプルを選択する。その結果、カスタムサンプルの選択情報がカスタマイズ商品デザイン装置１へ送信される（ステップＳ９）。たとえば、図５において、ユーザが白色のカスタムサンプル２０１をクリックすると、ユーザがカスタムサンプル２０１を選択したという情報がカスタマイズ商品デザイン装置１へ送信される。
【００９１】
カスタマイズ商品デザイン装置１は、ユーザ端末３から送信された情報を受信後（ステップＳ１０）、その情報に基づいて、カスタマイズ商品のデザインイメージ３０１を作成する。カスタマイズ商品デザイン装置１は、作成したデザインイメージ３０１を含むデザイン画面をユーザ端末３へ送信する（ステップＳ１１）。ここで、ステップＳ１１の詳細について説明する。
【００９２】
図６は図２中のステップＳ１１の詳細を示すフローチャートである。
また、図７は図２中のステップＳ１１で作成されるデザイン画面を示す図である。
【００９３】
図６を参照して、カスタマイズ商品デザイン装置１内のデザイン制御部１１は、ユーザ端末３から送信されたカスタムサンプルの選択情報に基づいて、仕様組合せ画像記憶部３１から該当する画像を選択する（ステップＳ１１１）。次に、デザイン制御部１１は、選択した画像をデザインイメージ３０１としてデザイン画面内のデザインイメージ表示欄３００に表示する（ステップＳ１１２）。
【００９４】
たとえば、図５でユーザ端末３のユーザが白色のカスタムサンプル２０１を選択した場合、図７に示すように、デザインイメージ表示欄３００内のデザインイメージ３０１のカバーは白色に変化する。
【００９５】
続いて、カスタマイズ商品デザイン装置１内のオリジナル度算出部２１はステップＳ１１２で表示されたデザインイメージがどの程度の希少価値を有するかを「オリジナル度」として算出する。オリジナル度を算出するために、オリジナル度算出部２１は、ステップＳ１１２で表示されたカスタマイズ商品のデザインイメージ３０１を過去にオーダーした人数（以下、オーダー人数と称する）を仕様組合せ集計ファイル４２から取得する。さらにオリジナル度算出部２１は、仕様組合せ集計ファイル４２に入力されているオーダー人数の総人数（以下、トータル人数と称する）を取得する（ステップＳ１１３）。
【００９６】
次に、オリジナル度算出部２１は、次式にしたがってオリジナル度を算出する（ステップＳ１１５）。
【００９７】
オリジナル度＝（トータル人数−オーダー人数）／トータル人数×１００（％）
デザイン制御部１１は、算出されたオリジナル度と、オーダー人数およびトータル人数とをデザインイメージ表示欄に表示する。
【００９８】
たとえば、図７に示すように、デザイン制御部１１は、デザイン画面中にデザインイメージ３０１のオリジナル度を「８３％」と表示し、さらに図７に示されたデザインイメージ３０１のオーダー人数と、トータル人数を表示する。
【００９９】
以上のようにデザイン画面が作成された後、デザイン制御部１１は作成したデザイン画面をユーザ端末３へ送信する（ステップＳ１１６）。
【０１００】
再び図２にもどって、ユーザ端末３は送信されたデザイン画面を受信後、ディスプレイにそのデザイン画面を表示する（ステップＳ１２）。
【０１０１】
続いて、ユーザ端末３のユーザは、ステップＳ１２で表示されたデザインイメージ３０１のカスタマイズ商品を保存するか否かを選択する（ステップＳ１３）。
【０１０２】
たとえば、ユーザが図７に示した携帯電話機のデザインイメージ３０１を保存する場合、ユーザは図７内の保存ボタン３０２をクリックする。その結果、保存ボタン３０２がクリックされた旨の情報がカスタマイズ商品デザイン装置１に送信される（ステップＳ１４）。
【０１０３】
一方、ユーザが保存ボタン３０２をクリックしなかった場合、ユーザ端末３の動作はステップＳ５に戻る。よって、ユーザはカスタムサンプルを何度でも自由に選択し、デザインイメージ３０１を変更できる。またデザインイメージ３０１を変更するたびに、ユーザはそのデザインイメージ３０１のオリジナル度を確認できる。
【０１０４】
ユーザ端末３のユーザがステップＳ１３でデザインイメージを保存した場合、ステップＳ１４で保存する旨に情報がカスタマイズ商品デザイン装置１に送信される。
【０１０５】
カスタマイズ商品デザイン装置１は、ステップＳ１４で送信された情報を受信後（ステップＳ１５）、確認画面の作成を行なう（ステップＳ１６）。ここで、ステップＳ１６でのカスタマイズ商品デザイン装置１の動作について説明する。
【０１０６】
図８は図２中のステップＳ１６の詳細を示すフローチャートである。
また、図９は図２中のステップＳ１６で作成される確認画面を示す図である。
【０１０７】
図８を参照して、カスタマイズ商品デザイン装置１内のランキング集計部２２は、ステップＳ１３で保存されたデザインイメージ３０１のカスタマイズ商品について、オリジナル度ランキングを算出する（ステップＳ１６１）。オリジナル度ランキングとは、希少価値の高いデザインイメージ順にランキングしたものである。ランキング集計部２２は、仕様組合せ集計ファイル４２に保存されたすべてのデザインイメージをオーダー人数が少ないデザインイメージ順に順位をつけ、これをオリジナルランキングとする。以上の動作により、ランキング集計部２２は、ステップＳ１３で保存されたデザインイメージ３０１のカスタマイズ商品がオリジナルランキングで何位となるかを算出する。
【０１０８】
続いて、ランキング集計部２２は、オリジナルランキングの上位１０件のデザインイメージを特定する。さらに、オリジナル度算出部２１は、特定された上位１０件のデザインイメージのオリジナル度を算出する（ステップＳ１６２）。
【０１０９】
続いて、デザイン制御部１１はランキング集計部２２により特定された１０件のデザインイメージの画像を仕様組合せ画像記憶部３１から取得する（ステップＳ１６３）。
【０１１０】
デザインイメージの画像を取得後、デザイン制御部１１は図９に示す確認画面を作成する（ステップＳ１６４）。確認画面には、ステップＳ１３で保存されたデザインイメージを表示する完成イメージ４０１と、完成イメージ４０１に対するオリジナル度ランキング４０２と、完成イメージ４０１のオーダー人数４０３と、オリジナル度ランキング上位１０件までのデザインイメージと、上位１０件のデザインイメージのオリジナル度を示す表４０４とが表示される。さらに、「注文する」ボタン４０５および「戻る」ボタン４０６が表示される。
【０１１１】
以上の確認画面を作成後、カスタマイズ商品デザイン装置１は確認画面をユーザ端末３に送信する（ステップＳ１６５）。
【０１１２】
なお、図９に示した確認画面は、オーダー人数を棒グラフ等で表示してもよい。また、確認画面は、オーダーの多いデザインイメージのランキングやオリジナル度を示す表を表示してもよい。また、確認画面は、オーダーの多いデザインイメージのランキングとオーダーの少ないデザインイメージのランキングとをともに表示してもよい。
【０１１３】
再び図２にもどって、ステップＳ１６で作成された確認画面はユーザ端末３で受信され、ディスプレイに表示される（ステップＳ１７）。
【０１１４】
ユーザは確認画面を参照後、完成イメージ４０１が気に入らなければ、図９内の「戻る」ボタン４０６をクリックする（ステップＳ１８）。この場合、ユーザ端末３の動作はステップＳ５に戻り、ユーザはデザインイメージを決定すべく、再びカスタムサンプルを選択する。
【０１１５】
一方、ユーザが完成イメージのカスタマイズ商品をオーダーする場合、ユーザは図９内の「注文する」ボタン４０５をクリックする。その結果、「注文する」ボタン４０５がクリックされた旨の情報がカスタマイズ商品デザイン装置１に送信される（ステップＳ１９）。
【０１１６】
カスタマイズ商品デザイン装置１は、ステップＳ１９で送信されたオーダー情報を受信後（ステップＳ２０）、ユーザ情報入力画面をユーザ端末３へ送信する（ステップＳ２１）。ユーザ情報入力画面は、ステップＳ１９で「注文する」ボタンをクリックしたユーザ情報を入力するための画面である。
【０１１７】
ユーザ端末３はユーザ情報入力画面を受信後、ディスプレイに表示する（ステップＳ２２）。ユーザは表示されたユーザ入力画面に従って、ユーザ情報を入力する。入力後、ユーザ端末３はユーザ情報入力画面をカスタマイズ商品デザイン装置１へ送信する（ステップＳ２３）。
【０１１８】
カスタマイズ商品デザイン装置１は、ステップＳ２３で送信されたユーザ情報入力画面を受信する。カスタマイズ商品デザイン装置１内のオーダー情報書込部１２は、ユーザ情報入力画面に入力されたユーザを特定する情報とユーザが注文した完成イメージ４０１の仕様条件とをオーダーファイル４１に保存する（ステップＳ２４）。
【０１１９】
ステップＳ２４でのオーダーファイル４１への保存が終了後、デザイン制御部１１はオーダー情報画面を作成し、作成したオーダー情報画面をユーザ端末３へ送信する（ステップＳ２５）。オーダー情報画面には、ユーザが注文したカスタマイズ商品の完成イメージ４０１や、ユーザを特定する情報等が表示される。
【０１２０】
ユーザ端末３は、オーダー情報画面を受信後、ディスプレイに表示する（ステップＳ２６）。
【０１２１】
以上説明したカスタマイズ商品デザイン装置１は、カスタマイズ商品デザイン装置１を機能させるためのプログラムで実現される。
【０１２２】
この発明の対象とするのは、このプログラムそのものであってもよいし、このプログラムを記憶しているコンピュータで読取可能な記憶媒体であってもよい。
【０１２３】
この発明では、この記憶媒体が、図１中のカスタマイズ商品デザイン装置１で処理が行なわれるために必要な図示していないメモリ、たとえばＲＯＭのようなものそのものであってもよいし、また図示していないがカスタマイズ商品デザイン装置１の外部にプログラム読取装置が設けられ、そこに記憶媒体を挿入することで読取り可能な記憶装置のようなものであってもよい。いずれの場合においても、記憶されているプログラムはカスタマイズ商品デザイン装置１がアクセスして実行させる構成であってもよいし、あるいはいずれの場合もプログラムを読出し、読出されたプログラムは、カスタマイズ商品デザイン装置１の図示されていないプログラム記憶エリアにロードされて、そのプログラムが実行される方式であってもよい。このロード用のプログラムは予めカスタマイズ商品デザイン装置１に記憶されているものとする。
【０１２４】
ここで、上記記憶媒体は、カスタマイズ商品デザイン装置１と分離可能に構成され、磁気テープやカセットテープ等のテープ系、フロッピー（Ｒ）ディスクやハードディスク等の磁気ディスクやＣＤ−ＲＯＭ、ＭＯ、ＭＤ、ＤＶＤ等の光ディスクのディスク系、ＩＣカード、メモリカード、光カード等のカード系、あるいはマスクＲＯＭ、ＥＰＲＯＭ、ＥＥＰＲＯＭ、フラッシュＲＯＭ等による半導体メモリを含めた固定的にプログラムを記憶する媒体であってもよい。
【０１２５】
また、本発明においてはインターネット等のネットワークと接続可能なシステム構成であることから、ネットワークからプログラムをダウンロードするように流動的にプログラムを記憶する媒体であってもよい。なお、このようにネットワークからプログラムをダウンロードする場合には、そのダウンロード用プログラムは予めカスタマイズ商品デザイン装置１にインストールされるか、あるいは別な記憶媒体からインストールされるものであってもよい。
【０１２６】
なお、記憶媒体に記憶されている内容としてはプログラムに限定されず、データであってもよい。
【０１２７】
また、この発明では、プログラムとして、図１に示されているカスタマイズ商品デザイン装置１で実行される処理そのものであってもよいし、あるいはインターネットを含むネットワークとアクセスすることで取込める、あるいは取込めたものであってもよいし、こちらから送り出すものであってもよい。さらには、この取込んだプログラムに基づいて、カスタマイズ商品デザイン装置１で処理された結果、つまり生成されたものであってもよい。あるいは、こちらから送り出す際に上記カスタマイズ商品デザイン装置１内で処理された結果、つまり生成されたものであってもよい。
【０１２８】
なお、これらのものはプログラムに限定されず、データであってもよい。
今回開示された実施の形態はすべての点で例示であって制限的なものではないと解釈されるべきである。本発明の範囲は上述した実施の形態ではなく特許請求の範囲によって定められ、特許請求の範囲と均等の意味およびその範囲内でのすべての変更が含まれることを意図するものである。
【０１２９】
【発明の効果】
この発明によるカスタマイズ商品デザイン装置は、ユーザがカスタマイズ商品のデザインイメージを選択したとき、そのデザインイメージの希少価値をユーザへ知らせることができる。その結果、ユーザは高い希少価値を有するカスタマイズ商品を作成することができる。
【図面の簡単な説明】
【図１】  この発明におけるカスタマイズ商品デザインシステムの全体構成を示すブロック図である。
【図２】  カスタマイズ商品デザイン装置１およびユーザ端末３の動作を示すフローチャートである。
【図３】  図２中のステップＳ３におけるデザイン画面を示す図である。
【図４】  図２中のステップＳ７の詳細を示すフローチャートである。
【図５】  図２中のステップＳ７でのデザイン画面を示す図である。
【図６】  図２中のステップＳ１１の詳細を示すフローチャートである。
【図７】  図２中のステップＳ１１で作成されるデザイン画面を示す図である。
【図８】  図２中のステップＳ１６の詳細を示すフローチャートである。
【図９】  図２中のステップＳ１６で作成される確認画面を示す図である。
【符号の説明】
１  カスタマイズ商品デザイン装置、２  ネットワーク、３  ユーザ端末、１０  商品デザイン作成部、１１  デザイン制御部、１２  オーダー情報書込部、２０  オリジナル性評価部、２１  オリジナル度算出部、２２  ランキング集計部、３０  商品デザイン保存部、３１  画像記憶部、３２  カスタマイズ仕様記憶部、４０  オーダー条件保存部、４１  オーダーファイル、４２  集計テーブル、５０  通信部、６０  記憶媒体ドライブ、７０  記憶媒体、８０  バス。
【図１】
0003973388.tif 000003
【図２】
0003973388.tif 000004
【図３】
0003973388.tif 000005
【図４】
0003973388.tif 000006
【図５】
0003973388.tif 000007
【図６】
0003973388.tif 000008
【図７】
0003973388.tif 000009
【図８】
0003973388.tif 000010
【図９】
0003973388.tif 000011